(57)【特許請求の範囲】
【請求項１】
移動無線通信ネットワークに移動端末の接続を確立するための方法であって、
前記移動無線通信ネットワークの無線アクセスネットワークが、前記移動端末から接続要求を受信するステップと、
前記無線アクセスネットワークが、前記無線アクセスネットワークを第１のエンドポイントとして有する制御プレーン通信を確立するステップと、
前記無線アクセスネットワークが、前記制御プレーン通信を介して第１の共通制御プレーン機能に前記移動端末の接続要求を転送するステップと、
前記第１の共通制御プレーン機能が、第２の共通制御プレーン機能に前記接続要求を転送するステップと、
前記無線アクセスネットワークが、前記制御プレーン通信の第２のエンドポイントが前記第２の共通制御プレーン機能に設定されるべきであることを示すメッセージを受信するステップと、
前記無線アクセスネットワークが、前記制御プレーン通信の前記第２のエンドポイントを前記第２の共通制御プレーン機能に設定するステップと、
を含み、
前記制御プレーン通信の前記第２のエンドポイントが前記第２の共通制御プレーン機能に設定されるべきであることを示す前記メッセージが、前記第２の共通制御プレーン機能を前記制御プレーン通信の新たなエンドポイントとして識別している、
当該方法。
【請求項２】
前記方法は、
前記第２の共通制御プレーン機能が、前記無線アクセスネットワークにアプリケーションプロトコル設定修正要求を送信するステップ、
をさらに含み、
前記アプリケーションプロトコル設定修正要求が、
前記無線アクセスネットワーク及び前記第１の共通制御プレーン機能について情報と、
前記第２の共通制御プレーン機能の識別子と、
を備えている、請求項１に記載の方法。
【請求項３】
前記第１の共通制御プレーン機能が、前記移動端末のサブスクリプションプロファイルを確認することによって前記移動無線通信ネットワークの前記第２の共通制御プレーン機能を決定した、請求項１に記載の方法。
【請求項４】
前記第２の共通制御プレーン機能が、前記制御プレーン通信の前記第２のエンドポイントを前記第２の共通制御プレーン機能に設定した後に前記制御プレーン通信を介して前記移動端末を認証するステップ、
をさらに含む、請求項１〜３のいずれか一項に記載の方法。
【請求項５】
前記第２の共通制御プレーン機能が、前記制御プレーン通信の前記第２のエンドポイントを前記第２の共通制御プレーン機能に設定した後に前記制御プレーン通信を介して前記移動端末とのセキュアな制御プレーン通信を設定するステップ、
をさらに含む、請求項１〜４のいずれか一項に記載の方法。
【請求項６】
前記制御プレーン通信の前記第２のエンドポイントを前記第２の共通制御プレーン機能に設定した後に前記制御プレーン通信を介して前記移動端末に対して制御プレーン通信セッションを確立するステップ、
をさらに含む、請求項１〜５のいずれか一項に記載の方法。
【請求項７】
前記制御プレーン通信の前記第２のエンドポイントが前記第２の共通制御プレーン機能に設定されるべきであることを示す前記メッセージが、前記第２の共通制御プレーン機能によって送られた、請求項１〜６のいずれか一項に記載の方法。
【請求項８】
前記制御プレーン通信の前記第２のエンドポイントが前記第２の共通制御プレーン機能に設定されるべきであることを示す前記メッセージが、前記移動端末によって送られた、請求項１〜６のいずれか一項に記載の方法。
【請求項９】
前記制御プレーン通信の前記第２のエンドポイントが前記第２の共通制御プレーン機能に設定されるべきであることを示す前記メッセージが、前記第１の共通制御プレーン機能によって送られた、請求項１〜６のいずれか一項に記載の方法。
【請求項１０】
前記制御プレーン通信の前記第２のエンドポイントが前記第２の共通制御プレーン機能に設定されるべきであることを示す前記メッセージが、前記無線アクセスネットワークによって前記第１の共通制御プレーン機能に前記移動端末の接続要求を転送するために使用された通信セッションへの参照を備えている、請求項１〜９のいずれか一項に記載の方法。
【請求項１１】
前記無線アクセスネットワークが、前記制御プレーン通信を前記移動端末と関連付けている、請求項１〜１０のいずれか一項に記載の方法。
【請求項１２】
前記無線アクセスネットワークが、前記制御プレーン通信を前記移動端末のために割り当てている、請求項１〜１１のいずれか一項に記載の方法。
【請求項１３】
前記制御プレーン通信の前記第２のエンドポイントを前記第２の共通制御プレーン機能に設定するステップが、前記無線アクセスネットワークの通信セッションの通信相手を前記第１の共通制御プレーン機能から前記第２の共通制御プレーン機能へ変更すること、を含んでいる、請求項１〜１２のいずれか一項に記載の方法。
【請求項１４】
移動端末から接続要求を受信するように構成されている受信器と、
無線アクセスネットワークを第１のエンドポイントとして有する制御プレーン通信を確立するように構成されているコントローラと、
前記制御プレーン通信を介して第１の共通制御プレーン機能に前記移動端末の接続要求を転送するように構成されている送信器と、
を備え、
前記コントローラが、前記第１の共通制御プレーン機能から第２の共通制御プレーン機能へ前記接続要求を転送するように構成され、
前記受信器が、前記制御プレーン通信の第２のエンドポイントが前記第２の共通制御プレーン機能に設定されるべきであることを示すメッセージを受信するように構成され、
前記コントローラが、前記制御プレーン通信の前記第２のエンドポイントを前記第２の共通制御プレーン機能に設定するように構成されており、
前記制御プレーン通信の前記第２のエンドポイントが前記第２の共通制御プレーン機能に設定されるべきであることを示す前記メッセージが、前記第２の共通制御プレーン機能を前記制御プレーン通信の新たなエンドポイントとして識別している、
無線アクセスネットワーク構成要素。
【発明の詳細な説明】
【技術分野】
【０００１】
本開示は、移動無線通信ネットワークに移動端末の接続を確立するための方法、及び無線アクセスネットワーク構成要素に関する。
【背景技術】
【０００２】
移動通信ネットワークにおいて、ＵＥ（ユーザ機器）認証が、例えばＵＥのサブスクリプションに基づいて（例えばＵＥ型、専用コアネットワークＩＤ（ＤＣＮ−ＩＤ）、クライアントＩＤ、カスタマＩＤ、テナントＩＤに基づいて）、１つの共通ＣＰ（制御プレーン）機能（例えばＭＭＥ、移動管理エンティティ）からＵＥを担当している別の共通ＣＰ機能へのＵＥのアタッチ要求のルート変更後に行われることが典型的に起こる。他の共通ＣＰ機能（専用共通ＣＰ機能と称される）は、次いでＵＥ認証及び／又はＮＡＳセキュリティ設定を行ってもよい。
【０００３】
ＵＥと共通ＣＰ機能との間のセッション管理のための効率的な手法が、特に１つの共通ＣＰ機能から別の共通ＣＰ機能へのアタッチ要求の転送を含む以上のシナリオで望ましい。
【発明の概要】
【０００４】
一実施形態によれば、移動無線通信ネットワークの無線アクセスネットワークが、移動端末から接続要求を受信するステップと、無線アクセスネットワークが、無線アクセスネットワークを第１のエンドポイントとして有する制御プレーン通信を確立するステップと、無線アクセスネットワークが、制御プレーン通信を介して第１の共通制御プレーン機能に移動端末の接続要求を転送するステップと、無線アクセスネットワークが、制御プレーン通信の第２のエンドポイントが第２の共通制御プレーン機能に設定されるべきであることを示すメッセージを受信するステップと、無線アクセスネットワークが、制御プレーン通信の第２のエンドポイントを第２の共通制御プレーン機能に設定するステップとを含む、移動無線通信ネットワークに移動端末の接続を確立するための方法が提供される。
【０００５】
更なる実施形態によれば、上記した移動無線通信ネットワークに移動端末の接続を確立するための方法に係る無線アクセスネットワーク構成要素が提供される。
【０００６】
図面では、同様の参照符号は異なる図を通して同じ部分を一般に指す。図面は必ずしも一定の比率であるわけではなく、それよりも一般に本発明の原理を例示することに重点が置かれる。以下の記載では、様々な態様が以下の図面を参照しつつ記載される。
【図面の簡単な説明】
【０００７】
【図１】ＵＥ（ユーザ機器）のアタッチ要求の転送を例示する。
【図２】５Ｇ通信システムを図示する。
【図３】ＥＰＣ（進化型パケットコア）状のアーキテクチャを持つ通信システムを図示する。
【図４】ＲＡＮを介するアタッチ要求のルート変更を伴う初期アタッチ手順を例示する。
【図５】アタッチ手順、即ちＲＡＮを介するアタッチ要求のルート変更を伴う初期アタッチ手順をより詳細に例示するメッセージフロー図を図示する。
【図６】既定ＣＣＰＦから専用ＣＣＰＦへのアタッチ要求の直接転送を伴う初期アタッチ手順を例示する。
【図７】実施形態に係る初期アタッチ手順を例示する。
【図８】別の実施形態に係る初期アタッチ手順を例示する。
【図９】更なる実施形態に係る初期アタッチ手順を例示する。
【図１０】更なる第２の例に係る初期アタッチ手順を例示する。
【図１１】図７の手法に基づく初期アタッチ手順をより詳細に例示するメッセージフロー図を図示する。
【図１２】移動無線通信ネットワークに移動端末の接続を確立するための方法を例示するフロー図を図示する。
【図１３】無線アクセスネットワーク構成要素を図示する。
【発明を実施するための形態】
【０００８】
以下の詳細な記載は、本発明が実施されることができる本開示の具体的な詳細及び態様を例示として図示する添付の図面を参照する。添付の請求項一式によって定められる本発明の範囲から逸脱することなく、他の態様が活用されてもよく且つ構造的、論理的及び電気的変更がなされてもよい。本開示の幾つかの態様が本開示の１つ又は複数の他の態様と組み合わされて新たな態様を形成することができるので、本開示の様々な態様は必ずしも相互に排他的であるわけではない。
【０００９】
図１は、ＵＥ（ユーザ機器）のアタッチ要求の転送を例示する。
【００１０】
ＵＥ１０１が移動通信ネットワークに、詳細には移動通信ネットワークの無線アクセスネットワーク（ＲＡＮ）１０２にアタッチ要求を送ると想定される。ＲＡＮ１０２は、例えばＵＥのサブスクリプション（例えば、ＵＥ型、専用コアネットワークＩＤ（ＤＣＮ−ＩＤ）、クライアントＩＤ、カスタマＩＤ、テナントＩＤ）のために、しかしながらＵＥ１０１を引き受けなくてもよい既定共通ＣＰ機能（ＣＣＰＦ、例えば既定ＭＭＥ）１０３にアタッチ要求を転送する。
【００１１】
ＵＥ型の例は「マシンタイプ通信（ＭＴＣ）ＵＥ型」、「スマートフォンＵＥ型」などである。ＵＥ型は典型的にＵＥのサブスクリプションの一部として記憶される。
【００１２】
したがって、既定共通ＣＰ機能１０３は、ＵＥ認証及びＮＡＳ（非アクセス層）セキュリティ設定を行う（第２の矢印１０６によって例示される）専用共通ＣＰ機能（例えば専用ＭＭＥ）１０４にアタッチ要求を送信する（第１の矢印１０５によって例示される）。既定共通ＣＰ機能１０３がＵＥ認証を行った場合には、専用共通ＣＰ機能１０４はＮＡＳセキュリティ設定のみを行うことに留意されたい。
【００１３】
専用ＣＣＰＦ１０４は、第２のＲＡＮ−ＣＮ  Ｉ／Ｆ  ＣＰセッション１０８を介して認証及びセキュリティ設定（又はユーザプレーンセッション確立などの他の動作）を行う。
【００１４】
したがって、専用ＣＣＰＦが既定ＣＣＰＦ１０３によって転送されるアタッチ要求を受信した後にＵＥ認証及び／又はＮＡＳセキュリティ設定（又は他の動作）を行うことを望む場合、ＲＡＮ−ＣＮ  Ｉ／Ｆ  ＣＰ（無線アクセスネットワーク−コアネットワークインタフェース制御プレーン）セッションをどのように管理するかという問題が発生する。
【００１５】
ＲＡＮ−ＣＮ  Ｉ／Ｆ  ＣＰセッション管理は以下を含む。
Ａ：専用ＣＣＰＦとＲＡＮとの間のＲＡＮ−ＣＮ  Ｉ／Ｆ  ＣＰセッション（第２のセッション１０８）を確立すること。
Ｂ：既定ＣＣＰＦとＲＡＮとの間のＲＡＮ−ＣＮ  Ｉ／Ｆ  ＣＰセッション（第１のセッション１０７）を解放すること。
Ｃ：既定ＣＣＰＦとＲＡＮとの間のＲＡＮ−ＣＮ  Ｉ／Ｆ  ＣＰセッション（例えば第１のセッション１０７）を、それが上記点Ａ及び点Ｂで述べたように確立すること及び解放することを行うことなくＲＡＮ−ＣＮ  Ｉ／Ｆ  ＣＰセッション（第２のセッション１０８）になるように更新すること。
【００１６】
上記の問題は、例えば図２に例示されるように５Ｇ通信システムで発生することがある。
【００１７】
図２は、５Ｇ通信システム２００を図示する。
【００１８】
通信システム２００は、既定共通ＣＰ機能２０３並びに第１のコアネットワークインスタンス（ＣＮＩ、ネットワークスライス又はネットワークスライスインスタンスとも称される）２０５及び第２のコアネットワークインスタンス（ＣＮＩ）２０６に特定の専用共通ＣＰ機能２０４に接続される５Ｇ  ＲＡＮ２０２と通信することができるＵＥ２０１を含む。ネットワーク構成に応じて、ＣＮＩの範囲は専用共通ＣＰ機能を包含してもよい。
【００１９】
コアネットワークインスタンス２０５及び２０６は、ユーザプレーン機能２１０及び（任意選択で）制御プレーン機能２０９を備える。
【００２０】
共通ＣＰ機能は、例えば認証機能性、移動管理機能性、共通ＣＰ選択機能（ＣＣＰＳＦ）及びネットワークスライス選択機能、ＮＡＳシグナリングルート指定機能、（任意選択で）セッション管理機能を含んでもよい。
【００２１】
（既定又は専用）共通ＣＰ機能２０３、２０４は、通信システムのコアネットワークに設けられ、且つＵＥがコアネットワーク（ＣＮ）にアクセスするためのエントリポイントと考えられる。ＵＥ２０１によって送られる初期アタッチメッセージに充分な情報がない場合には、既定共通ＣＰ機能２０３が、ＣＮにおける最初のコンタクトポイントと考えられる。
【００２２】
別の例として、ＥＰＣ（進化型パケットコア）状のアーキテクチャを持つ通信システム３００が図３に例示される。
【００２３】
図３は、通信システム３００を図示する。
【００２４】
通信システム３００は、既定ＭＭＥ３０４、第１のサービングゲートウェイ３０５及び第１のパケットゲートウェイ３０６を備える既定コアネットワーク３０３に、並びに専用ＭＭＥ３０８、第２のサービングゲートウェイ３０９及び第２のパケットゲートウェイ３１０を備える専用コアネットワークに接続されるＲＡＮ（例えばＥ−ＵＴＲＡＮ（進化型ＵＭＴＳ地上無線アクセスネットワーク））３０２と通信することができるＵＥ３０１を含む。
【００２５】
（既定／専用）ＭＭＥ３０４、３０８は、ＵＥ３０１がそれぞれのコアネットワーク３０３、３０７にアクセスするためのエントリポイントと考えられる。ＵＥ３０１からの初期アタッチメッセージに充分な情報がない場合には、既定ＭＭＥ３０４が、ＵＥ３０１にとってのコアネットワーク（全体）における最初のコンタクトポイントと考えられる。
【００２６】
図４は、ＲＡＮを介するアタッチ要求のルート変更を伴う初期アタッチ手順を例示する。
【００２７】
図１と同様に、ＵＥ４０１が移動通信ネットワークに、詳細には移動通信ネットワークの無線アクセスネットワーク（ＲＡＮ）４０２にアタッチ要求を送ると想定される。ＲＡＮ４０２は、例えばＵＥのサブスクリプション（例えば、ＵＥ型、専用コアネットワークＩＤ（ＤＣＮ−ＩＤ）、クライアントＩＤ、カスタマＩＤ、テナントＩＤ）のために、しかしながらＵＥ４０１を引き受けなくてもよい既定共通ＣＰ機能（既定ＣＣＰＦ、例えば既定ＭＭＥ）４０３にアタッチ要求を転送する。
【００２８】
したがって、既定共通ＣＰ機能４０３は、ＵＥ認証及びＮＡＳ（非アクセス層）セキュリティ設定を行う（第２の矢印４０６によって例示される）専用共通ＣＰ機能（例えば専用ＭＭＥ）４０４にアタッチ要求をルート変更する（第１の矢印４０５によって例示される）。
【００２９】
無線アクセスネットワーク４０２は、（ＲＡＮ４０２と既定ＣＣＰＦ４０３との間の）第１のＲＡＮ−ＣＮ  Ｉ／Ｆ  ＣＰセッション４０７を介して既定共通ＣＰ機能（ＣＣＰＦ）にアタッチ要求を送信し、そして既定ＣＣＰＦ４０３は、第１のＲＡＮ−ＣＮ  Ｉ／Ｆ  ＣＰセッション４０７、ＲＡＮ及び（ＲＡＮ４０２と専用ＣＣＰＦ４０４との間の）第２のＲＡＮ−ＣＮ  Ｉ／Ｆ  ＣＰセッション４０８を介してアタッチ要求をルート変更し、そして専用ＣＣＰＦ４０４は、第２のＲＡＮ−ＣＮ  Ｉ／Ｆ  ＣＰセッション４０８を介して認証及び／又はＮＡＳセキュリティ設定（又はユーザプレーンセッション確立などの他の動作）を行う。
【００３０】
セッション４０７、４０８は、例えばＳ１ＡＰ（Ｓ１アプリケーションプロトコル）インタフェースを介して確立される。図４では（及び該当する場合その後の図では）、ＲＡＮ及びＣＣＰＦのためのＳ１ＡＰマッピングテーブルが図示される。マッピングテーブルの各エントリは、Ｓ１ＡＰセッションに対応し、そしてそのエンドポイントを識別する。図４に図示されるＳ１ＡＰマッピングテーブル（及びその後のテーブル）では、第１列（それぞれＭＭＥ−ＩＤ及びｅＮＢ  ＩＤ）が任意選択的であることが留意されるべきである。その理由は、テーブルの第２及び第３列が、それぞれのＳ１ＡＰセッション（即ちＲＡＮとＣＣＰＦ／ＭＭＥとの間のＣＰセッション）がどのＭＭＥ及びｅＮＢに確立されるかをいずれにしろ単独で特定するということである。したがって、マッピングテーブルにおける第１列を有する必要はなくてもよい。
【００３１】
本明細書で使用されるように、ＲＡＮがＵＥに対して行う制御プレーン通信（制御プレーン、例えばＮＡＳメッセージの転送を含む）が通信セッション、例えばＳ１ＡＰセッションを使用してもよいことが留意されるべきである。使用されるセッションは、制御プレーン通信のエンドポイントを変更するために切り替わってもよい。
【００３２】
ＲＡＮ４０２から第１のセッション４０７を介して既定ＣＣＰＦ４０３へのアタッチ要求の送信時には、ＲＡＮ４０２におけるＳ１ＡＰマッピングテーブルは第１のＲＡＮテーブル状態４０９を有し、そして第１のＣＣＰＦ４０３におけるＳ１ＡＰマッピングテーブルはＣＣＰＦ１テーブル状態４１２を有する。
【００３３】
ＲＡＮ４０２から第２のセッション４０８を介して専用ＣＣＰＦ４０４へのアタッチ要求の送信時には、ＲＡＮ４０２におけるＳ１ＡＰマッピングテーブルは第２のＲＡＮテーブル状態４１０を有する。
【００３４】
ＵＥ認証及びＮＡＳセキュリティ設定時には、第２のＣＣＰＦ４０４におけるＳ１ＡＰマッピングテーブルはＣＣＰＦ２テーブル状態４１３を有し、そしてＲＡＮ４０２におけるＳ１ＡＰマッピングテーブルは第３のＲＡＮテーブル状態４１１を有する。
【００３５】
図５は、アタッチ手順、即ちＲＡＮを介するアタッチ要求のルート変更を伴う初期アタッチ手順をより詳細に例示するメッセージフロー図５００を図示する。
【００３６】
メッセージフローは、ＵＥ３０１に対応するＵＥ５０１と、ＵＥ３０１に応対するｅＮＢに対応するｅＮＢ５０２と、既定ＣＣＰＦ３０４に対応する既定ＭＭＥ５０３と、専用ＣＣＰＦ３０８に対応する専用ＭＭＥ５０４と、ＳＧＷ３０９又はＰＧＷ３１０に対応する専用ＳＧＷ又はパケットデータゲートウェイＰＧＷ５０５と、コアネットワーク３０３、３０７及びＲＡＮ３０２を備える通信ネットワークのＨＳＳ５０６との間で起こる。
【００３７】
ステップ５０７で、ＵＥ５０１は、ｅＮＢ５０２にアタッチ要求を送る。
【００３８】
ステップ５０８で、ｅＮＢ５０２は、既定ＭＭＥ５０３にアタッチ要求を転送する。
【００３９】
ステップ５０９で、既定ＭＭＥ５０３は、ＨＳＳ５０６に認証情報要求を送る。しかしながら、実際の認証は行われず、認証情報要求は、ＨＳＳ５０６からＵＥのサブスクリプションプロファイルを得る役目をするのみである。このプロファイルは、例えば、ＵＥ使用型（即ち上記したＵＥ型）又は専用コアネットワークＩＤ、企業ＩＤ、クライアントＩＤ、テナントＩＤ、カスタマＩＤを含むが、これらに限定されない。
【００４０】
ステップ５１０で、ＨＳＳは、既定ＭＭＥ５０３に認証情報応答（例えば、ＵＥ使用型、専用コアネットワークＩＤ、企業ＩＤ、クライアントＩＤ、テナントＩＤ、カスタマＩＤを含む）を送る。
【００４１】
ステップ５１１で、既定ＭＭＥ５０３は、例えば、ＵＥ使用型、専用コアネットワークＩＤ、企業ＩＤ、クライアントＩＤ、テナントＩＤ、カスタマＩＤに基づいてＭＭＥ選択を行う。そのような選択は、既定ＭＭＥ５０３で利用可能な事前構成を使用することによってか、ドメインネームサーバを通じてかで行われることができる。既定ＭＭＥ５０３は、次いでステップ５１２で、ＮＡＳアタッチ要求及びルート変更パラメータ（例えばルート変更対象を識別するＭＭＥグループ識別子ＭＭＥＧＩ）を含んでもよいｅＮＢ５０２へのＮＡＳメッセージルート変更要求を送る。
【００４２】
ステップ５１３で、ｅＮＢ５０２は、ＮＡＳアタッチメッセージ及びＭＭＥＧＩを含んでもよい専用ＭＭＥ５０４への初期ＵＥアタッチ要求メッセージを送る。
【００４３】
ステップ５１４で、専用ＭＭＥ５０４は、ＵＥ（ＨＳＳ５０６を伴う）と認証もＮＡＳセキュリティ設定も行う。ＮＡＳセキュリティ設定は、専用ＭＭＥとＵＥとの間のセキュアな通信のために使用されることになるキー（認証キー以外）のネゴシエーションを含む。
【００４４】
ステップ５１５で、専用ＭＭＥ５０４は、認証及びＮＡＳセキュリティ設定に関連したＵＥコンテキストを記憶し、そしてＵＥ５０１に対してＧＵＴＩ（グローバル一意一時識別子）割当てを行う。
【００４５】
ステップ５１６で、専用ＭＭＥ５０４は、ＳＧＷ／ＰＧＷ５０５にセッション作成要求を送り、ステップ５１７で応答される。
【００４６】
ステップ５１８で、専用ＭＭＥ５０４は、ｅＮＢ５０２にアタッチ承認メッセージ（ＧＵＴＩを含む）を送り、そしてアタッチ手順の更なる部分が次いで続いてもよいが、ここでは記載されない。
【００４７】
図４及び図５に例示される手法がＲＡＮ４０２を介するアタッチメッセージのリダイレクションシグナリングによるシグナリング及び遅延をもたらすことが留意されるべきである。
【００４８】
図６は、既定ＣＣＰＦから専用ＣＣＰＦへのアタッチ要求の直接転送を伴う初期アタッチ手順を例示する。
【００４９】
図４と同様に、ＵＥ６０１が移動通信ネットワークに、詳細には移動通信ネットワークの無線アクセスネットワーク（ＲＡＮ）６０２にアタッチ要求を送ると想定される。ＲＡＮ６０２は、既定共通ＣＰ機能（例えば既定ＭＭＥ）６０３にアタッチ要求を転送する。
【００５０】
既定ＣＣＰＦ６０３は、この例ではＵＥ認証及びＮＡＳセキュリティ設定を行う（第１の矢印６０５によって例示される）。
【００５１】
しかしながら、既定ＣＣＰＦ６０３は、例えばＵＥのサブスクリプション（例えば、ＵＥ型、専用コアネットワークＩＤ（ＤＣＮ−ＩＤ）、クライアントＩＤ、カスタマＩＤ、テナントＩＤ）のために、ＵＥ６０１を引き受けなくてもよい。
【００５２】
したがって、既定共通ＣＰ機能６０３は、専用共通ＣＰ機能（例えば専用ＭＭＥ）６０４にアタッチ要求を直接送る（第２の矢印６０６によって例示される）。
【００５３】
専用ＣＣＰＦ６０４は、ＵＥ６０１への転送のために、既定ＣＣＰＦ６０３に、ＵＥ６０１に対するＧＵＴＩ（グローバル一意一時識別子）を含む応答、即ち「アタッチ転送応答」を送る（第３の矢印６０７によって例示される）。既定ＣＣＰＦ６０３は、ＵＥ６０１にアタッチ応答（即ちアタッチ承認）を転送する（第４の矢印６０８によって例示される）。
【００５４】
無線アクセスネットワーク６０２と既定共通ＣＰ機能（ＣＣＰＦ）との間の通信は、第１のＲＡＮ−ＣＮ  Ｉ／Ｆ  ＣＰセッション６０９を介して行われる。
【００５５】
ＵＥ６０１へのアタッチ承認の送信後に、第２のＲＡＮ−ＣＮ  Ｉ／Ｆ  ＣＰセッション６１０が、例えばＵＥ６０１に対してユーザプレーン通信セッションを設定するためにＲＡＮ６０２と専用ＣＣＰＦ６０４との間に確立される。
【００５６】
セッション６０９、６１０は、例えばＳ１ＡＰ（Ｓ１アプリケーションプロトコル）インタフェースを介して確立される。
【００５７】
ＲＡＮ６０２から第１のセッション６０９を介して既定ＣＣＰＦ６０３へのアタッチ要求の送信時には、ＲＡＮ６０２におけるＳ１ＡＰマッピングテーブルは第１のＲＡＮテーブル状態６１１を有し、そして第１のＣＣＰＦ６０３におけるＳ１ＡＰマッピングテーブルは第１のＣＣＰＦ１テーブル状態６１３を有する。
【００５８】
認証及びＮＡＳセキュリティ設定時には、ＲＡＮ６０２におけるＳ１ＡＰマッピングテーブルは第２のＲＡＮテーブル状態６１２を有し、そして第１のＣＣＰＦ６０３におけるＳ１ＡＰマッピングテーブルは第２のＣＣＰＦ１テーブル状態６１４を有する。
【００５９】
既定ＣＣＰＦ６０３から専用ＣＣＰＦ６０４へのアタッチ要求の転送時には、第２のＣＣＰＦ６０４（例えば、専用ＣＣＰＦ）はＣＣＰＦ２テーブル状態６１５を有する。
【００６０】
以下では、図７を参照しつつ、既定ＣＣＰＦから転送されるアタッチ要求を受信した直後にＲＡＮと専用ＣＣＰＦとの間に直接Ｓ１ＡＰセッションを設定することを含む実施形態が記載される。
【００６１】
図７は、初期アタッチ手順を例示する。
【００６２】
図４と同様に、ＵＥ７０１が移動通信ネットワークに、詳細には移動通信ネットワークの無線アクセスネットワーク（ＲＡＮ）７０２にアタッチ要求を送ると想定される。ＲＡＮ７０２は、既定共通ＣＰ機能（例えば既定ＭＭＥ）７０３にアタッチ要求を転送する。
【００６３】
無線アクセスネットワーク７０２と既定共通ＣＰ機能（ＣＣＰＦ）７０３との間の通信は、第１のＲＡＮ−ＣＮ  Ｉ／Ｆ  ＣＰセッション７０９を介して行われる。
【００６４】
しかしながら、既定ＣＣＰＦ７０３は、例えばＵＥのサブスクリプション（例えば、ＵＥ型、専用コアネットワークＩＤ（ＤＣＮ−ＩＤ）、クライアントＩＤ、カスタマＩＤ、テナントＩＤ）のために、ＵＥ７０１を引き受けなくてもよい。
【００６５】
したがって、既定共通ＣＰ機能７０３は、専用共通ＣＰ機能（例えば専用ＭＭＥ）７０４にアタッチ要求を直接送る（第１の矢印７０５によって例示される）。既定共通ＣＰ機能７０３は、このシグナリングに第１のセッション７０９についての情報を含める（例えば、第１のエンドポイントが無線アクセスネットワークであると示す）。
【００６６】
専用ＣＣＰＦ７０４は、次いで第１のセッション７０９についての情報（例えば、第１のエンドポイントが無線アクセスネットワークであると示す）並びに専用ＣＣＰＦ７０４の識別、例えば専用ＣＣＰＦ  ＩＤ（専用ＭＭＥ  ＩＤ）及び／又は専用ＣＣＰＦへの制御プレーン通信の第２のエンドポイントを含むＲＡＮ７０２へのＳ１ＡＰ応答を送る（第２の矢印７０６によって例示される）。
【００６７】
結果として、第２のＲＡＮ−ＣＮ  Ｉ／Ｆ  ＣＰセッション７１０がＲＡＮ７０２と専用ＣＣＰＦとの間に確立される。
【００６８】
専用ＣＣＰＦ７０４は、次いで第２のセッション７１０を通じてＵＥ７０１の認証及びＵＥ７０１に対するＮＡＳセキュリティ設定を行い、そしてＵＥ７０１にアタッチ承認（ＵＥのＧＵＴＩを示す）を送る（第３の矢印７０７によって例示される）。ＲＡＮ７０２へのＳ１ＡＰ応答で、このＳ１ＡＰ応答がＵＥ７０１の認証を行うために使用されるＮＡＳメッセージを含んでもよいことが留意されることになる。言い換えると、このＳ１ＡＰ応答は、排他的にＳ１ＡＰプロトコルのための応答である必要はなく、ＵＥ７０１の認証の様な他の使用のための別のＮＡＳメッセージをピギーバックすることができる。
【００６９】
追加的に、専用ＣＣＰＦ７０４は、既定ＣＣＰＦ７０３にアタッチ要求の転送に対する応答を送る（第４の矢印７０８によって例示される）。
【００７０】
更なる動作、例えばＵＥ７０１に対してユーザプレーン通信セッションを設定することが、第２のセッション７１０を介して行われてもよい。
【００７１】
セッション７０９、７１０は、例えばＳ１ＡＰ（Ｓ１アプリケーションプロトコル）インタフェースを介して確立される。
【００７２】
ＲＡＮ７０２から第１のセッション７０９を介して既定ＣＣＰＦ７０３へのアタッチ要求の送信時には、ＲＡＮ７０２におけるＳ１ＡＰマッピングテーブルは第１のＲＡＮテーブル状態７１１を有し、そして第１のＣＣＰＦ７０３におけるＳ１ＡＰマッピングテーブルは第１のＣＣＰＦ１テーブル状態７１３を有する。
【００７３】
既定ＣＣＰＦ７０３から専用ＣＣＰＦ７０４へのアタッチ要求の転送時には、第２のＣＣＰＦ７０４におけるＳ１ＡＰマッピングテーブルは第１のＣＣＰＦ２テーブル状態７１４を有する。
【００７４】
ＲＡＮ７０２へのＳ１ＡＰ応答の送信時には、第２のＣＣＰＦ７０４におけるＳ１ＡＰマッピングテーブルは第２のＣＣＰＦ２テーブル状態７１５を有し、そしてＲＡＮ７０２によるＳ１ＡＰ応答の受信に反応して、ＲＡＮ７０２におけるＳ１ＡＰマッピングテーブルは第２のＲＡＮテーブル状態７１２に変化する。
【００７５】
既定ＣＣＰＦ７０３が専用ＣＣＰＦから応答（例えば、アタッチ転送応答）を受信すると、第１のＣＣＰＦ７０３（既定ＣＣＰＦ）におけるＵＥコンテキストは、次いでＵＥ７０１に対して削除される。
【００７６】
既定ＣＣＰＦ７０３はアタッチ要求の転送を利用して、専用ＣＣＰＦ７０４（例えば専用ＭＭＥ）に第１のセッション７０９についての情報を伝達して、専用ＣＣＰＦ７０４が新たなセッションを作成することなく現存のＳ１ＡＰセッション７０９を（第２のセッション７１０として）再使用するようにする。
【００７７】
専用ＣＣＰＦ７０４からＲＡＮ７０２への第１のセッションの情報及び専用ＣＣＰＦ７０４の識別の送信は、新たに導入されるシグナリング（例えば新たに定義されるメッセージ）を介して又は現存のＳ１ＡＰメッセージを使用して行われて、ＲＡＮ７０２が新たなＣＣＰＦ（例えばＭＭＥ）コンタクトポイントで第１のセッション７０９を更新することを可能にしてもよい。
【００７８】
ＵＥ認証及び／又はＮＡＳセキュリティ設定が専用ＣＣＰＦ７０４からＲＡＮ７０２への第１のセッションの情報及び専用ＣＣＰＦ７０４の識別の送信前になされることができることが留意されるべきである。
【００７９】
図８は、別の例に係る初期アタッチ手順を例示する。
【００８０】
図７と同様に、ＵＥ８０１が移動通信ネットワークに、詳細には移動通信ネットワークの無線アクセスネットワーク（ＲＡＮ）８０２にアタッチ要求を送ると想定される。ＲＡＮ８０２は、既定共通ＣＰ機能（例えば既定ＭＭＥ）８０３にアタッチ要求を転送する。
【００８１】
無線アクセスネットワーク８０２と既定共通ＣＰ機能（ＣＣＰＦ）との間の通信は、第１のＲＡＮ−ＣＮ  Ｉ／Ｆ  ＣＰセッション８１０を介して行われる。
【００８２】
この例では、既定ＣＣＰＦが、ＵＥ８０１に対する認証及びＮＡＳセキュリティ設定を行う（第１の矢印８０５によって例示される）。
【００８３】
しかしながら、既定ＣＣＰＦ８０３は、例えばＵＥのサブスクリプション（例えば、ＵＥ型、専用コアネットワークＩＤ（ＤＣＮ−ＩＤ）、クライアントＩＤ、カスタマＩＤ、テナントＩＤ）のために、ＵＥ８０１を引き受けなくてもよい。
【００８４】
したがって、既定共通ＣＰ機能８０３は、専用共通ＣＰ機能（例えば専用ＭＭＥ）８０４にアタッチ要求を直接送る（第２の矢印８０６によって例示される）。既定共通ＣＰ機能８０３は、このシグナリングに第１のセッション８１０についての情報を含める。
【００８５】
専用ＣＣＰＦ８０４は、次いで第１のセッション８１０についての情報を含むＲＡＮ８０２へのＳ１ＡＰ修正要求を送る（第３の矢印８０７によって例示される）。
【００８６】
結果として、第２のＲＡＮ−ＣＮ  Ｉ／Ｆ  ＣＰセッション８１１がＲＡＮ８０２と専用ＣＣＰＦとの間に確立される。
【００８７】
専用ＣＣＰＦ８０４は、次いで第２のセッション８１１を通じてＵＥ８０１にアタッチ承認（ＵＥのＧＵＴＩを示す）を送る（第４の矢印８０８によって例示される）。
【００８８】
追加的に、専用ＣＣＰＦ８０４は、既定ＣＣＰＦ８０３にアタッチ要求の転送に対する応答を送る（第５の矢印８０９によって例示される）。
【００８９】
更なる動作、例えばＵＥ８０１に対して（例えば別のＵＥに）ユーザプレーン通信セッションを設定することが、第２のセッション８１１を介して行われてもよい。
【００９０】
セッション８１０、８１１は、例えばＳ１ＡＰ（Ｓ１アプリケーションプロトコル）インタフェースを介して確立される。
【００９１】
ＲＡＮ８０２から第１のセッション８１０を介して既定ＣＣＰＦ８０３へのアタッチ要求の送信時には、ＲＡＮ８０２におけるＳ１ＡＰマッピングテーブルは第１のＲＡＮテーブル状態８１２を有し、そして第１のＣＣＰＦ８０３におけるＳ１ＡＰマッピングテーブルは第１のＣＣＰＦ１テーブル状態８１５を有する。
【００９２】
認証及びＮＡＳセキュリティ設定時には、ＲＡＮ８０２におけるＳ１ＡＰマッピングテーブルは第２のＲＡＮテーブル状態８１３を有し、そして第１のＣＣＰＦ８０３におけるＳ１ＡＰマッピングテーブルは第２のＣＣＰＦ１テーブル状態８１６を有する。
【００９３】
既定ＣＣＰＦ８０３から専用ＣＣＰＦ８０４へのアタッチ要求の転送時には、第２のＣＣＰＦ８０４におけるＳ１ＡＰマッピングテーブルは第１のＣＣＰＦ２テーブル状態８１７を有する。
【００９４】
ＲＡＮ８０２によるＳ１ＡＰ修正要求の受信に反応して、ＲＡＮ８０２におけるＳ１ＡＰマッピングテーブルは第３のＲＡＮテーブル状態８１４に変化し、そして第２のＣＣＰＦ８０４におけるＳ１ＡＰマッピングテーブルは第２のＣＣＰＦ２テーブル状態８１８を有する。
【００９５】
既定ＣＣＰＦ８０３はアタッチ要求の転送を利用して、専用ＣＣＰＦ８０４（例えば専用ＭＭＥ）に第１のセッション８１０についての情報を伝達して、専用ＣＣＰＦ８０４が新たなセッションを作成することなく現存のＳ１ＡＰセッション８１０を（第２のセッション８１１として）再使用するようにする。
【００９６】
専用ＣＣＰＦ８０４からＲＡＮ８０２への第１のセッションの情報及び専用ＣＣＰＦ８０４の識別の送信は、ＲＡＮ８０２が新たなＣＣＰＦ（例えばＭＭＥ）コンタクトポイントで第１のセッション８１０を更新することを可能にする。
【００９７】
専用ＣＣＰＦ８０４からＲＡＮ８０２への第１のセッションの情報及び専用ＣＣＰＦ８０４の識別の送信は、新たに導入されるシグナリング（例えば新たに定義されるメッセージ）を介して又は現存のＳ１ＡＰメッセージを使用して行われて、ＲＡＮ８０２が新たなＣＣＰＦ（例えばＭＭＥ）コンタクトポイントで第１のセッション８１０を更新することを可能にしてもよい。
【００９８】
ＵＥ認証及び／又はＮＡＳセキュリティ設定が専用ＣＣＰＦ８０４からＲＡＮ８０２への第１のセッションの情報及び専用ＣＣＰＦ８０４の識別の送信前になされることができることが留意されるべきである。これは、更新の異なる順序に帰着してもよい。
【００９９】
図９は、更なる例に係る初期アタッチ手順を例示する。
【０１００】
図７と同様に、ＵＥ９０１が移動通信ネットワークに、詳細には移動通信ネットワークの無線アクセスネットワーク（ＲＡＮ）９０２にアタッチ要求を送ると想定される。ＲＡＮ９０２は、既定共通ＣＰ機能（例えば既定ＭＭＥ）９０３にアタッチ要求を転送する。
【０１０１】
無線アクセスネットワーク９０２と既定共通ＣＰ機能（ＣＣＰＦ）との間の通信は、第１のＲＡＮ−ＣＮ  Ｉ／Ｆ  ＣＰセッション９１１を介して行われる。
【０１０２】
この例では、既定ＣＣＰＦが、ＵＥ９０１に対する認証及びＮＡＳセキュリティ設定を行う（第１の矢印９０５によって例示される）。
【０１０３】
しかしながら、既定ＣＣＰＦ９０３は、例えばＵＥのサブスクリプション（例えば、ＵＥ型、専用コアネットワークＩＤ（ＤＣＮ−ＩＤ）、クライアントＩＤ、カスタマＩＤ、テナントＩＤ）のために、ＵＥ９０１を引き受けなくてもよい。
【０１０４】
したがって、既定共通ＣＰ機能９０３は、専用共通ＣＰ機能（例えば専用ＭＭＥ）９０４にアタッチ要求を直接送る（第２の矢印９０６によって例示される）。既定共通ＣＰ機能９０３は、このシグナリングにＵＥの認証及びＮＡＳセキュリティコンテキストについての情報を含めてもよい。
【０１０５】
専用ＣＣＰＦ９０４は、アタッチ要求メッセージの転送に応答し（第３の矢印９０７によって例示される）、ここでは応答はＵＥ９０１のＧＵＴＩを含む。
【０１０６】
既定ＣＣＰＦ９０３は、次いでＵＥ９０１にＲＡＮ９０２を介してＧＵＴＩを含むアタッチ承認を送信する（第４の矢印９０８によって例示される）。既定ＣＣＰＦ９０３からのＮＡＳアタッチ承認をピギーバックするために使用される既定ＣＣＰＦ９０３からのＳ１ＡＰメッセージをＲＡＮ９０２が受信すると、このＳ１ＡＰメッセージは、既定ＣＣＰＦ９０３のエンドポイントに以前設定されていたＣＮ側での第１のセッション９１１のエンドポイントの、専用ＣＣＰＦ９０４のエンドポイントへの変更についてＲＡＮ９０２に指示する情報を含む。そのような指示は幾つかの手法によってなされることができ、例えば、１）Ｓ１ＡＰメッセージが専用ＣＣＰＦ９０４の新たなＣＮ側エンドポイント及び専用ＣＣＰＦの識別情報を単に含む、２）Ｓ１ＡＰメッセージが既定ＣＣＰＦ９０３の古いエンドポイントを依然含むが、第１のセッション９１１のＣＮ側エンドポイントの変更について指示する新たなパラメータがある。第２の手法の場合、Ｓ１ＡＰメッセージは、現存のＳ１ＡＰロトコルメッセージ型又は新たなＳ１ＡＰロトコルメッセージ型でもよい。
【０１０７】
ＲＡＮ９０２は、次いで第１のＲＡＮ−ＣＮ  Ｉ／Ｆ  ＣＰセッション９１１を解放し（第６の矢印９１０によって例示される）、そして第２のＲＡＮ−ＣＮ  Ｉ／Ｆ  ＣＰセッション９１２を設定した（第７の矢印９２０によって例示される）。
【０１０８】
ＵＥ９０１及び専用ＣＣＰＦ９０４は、次いでＮＡＳメッセージ、例えばサービス要求及びサービス応答を交換してもよい（第５の矢印９０９によって例示される）。
【０１０９】
セッション９１１、９１２は、例えばＳ１ＡＰ（Ｓ１アプリケーションプロトコル）インタフェースを介して確立される。
【０１１０】
ＲＡＮ９０２から第１のセッション９１１を介して既定ＣＣＰＦ９０３へのアタッチ要求の送信時には、ＲＡＮ９０２におけるＳ１ＡＰマッピングテーブルは第１のＲＡＮテーブル状態９１３を有し、そして第１のＣＣＰＦ９０３におけるＳ１ＡＰマッピングテーブルは第１のＣＣＰＦ１テーブル状態９１６を有する。
【０１１１】
ＵＥ認証及びＮＡＳセキュリティ設定を行った後には、ＲＡＮ９０２におけるＳ１ＡＰマッピングテーブルは第２のＲＡＮテーブル状態９１４を有し、そして第１のＣＣＰＦ９０３におけるＳ１ＡＰマッピングテーブルは第２のＣＣＰＦ１テーブル状態９１７を有する。
【０１１２】
既定ＣＣＰＦ９０３から専用ＣＣＰＦ９０４へのアタッチ要求の転送時には、第２のＣＣＰＦ９０４におけるＳ１ＡＰマッピングテーブルは第１のＣＣＰＦ２テーブル状態９１８を有する。
【０１１３】
ＲＡＮが次いで第１のＲＡＮ−ＣＮ  Ｉ／Ｆ  ＣＰセッション９１１を解放し（第６の矢印９１０によって例示される）、そして第２のＲＡＮ−ＣＮ  Ｉ／Ｆ  ＣＰセッション９１２を設定した（第７の矢印９２０によって例示される）時には、ＲＡＮ９０２におけるＳ１ＡＰマッピングテーブルは第３のＲＡＮテーブル状態９１５を有し、そして第２のＣＣＰＦ９０４におけるＳ１ＡＰマッピングテーブルは第２のＣＣＰＦ２テーブル状態９１９を有する。
【０１１４】
図１０は、更なる第２の例に係る初期アタッチ手順を例示する。
【０１１５】
図７と同様に、ＵＥ１００１が移動通信ネットワークに、詳細には移動通信ネットワークの無線アクセスネットワーク（ＲＡＮ）１００２にアタッチ要求を送ると想定される。ＲＡＮ１００２は、既定共通ＣＰ機能（例えば既定ＭＭＥ）１００３にアタッチ要求を転送する。
【０１１６】
無線アクセスネットワーク１００２と既定共通ＣＰ機能（ＣＣＰＦ）との間の通信は、第１のＲＡＮ−ＣＮ  Ｉ／Ｆ  ＣＰセッション１０１１を介して行われる。
【０１１７】
この例では、既定ＣＣＰＦが、ＵＥ１００１に対する認証及びＮＡＳセキュリティ設定を行う（第１の矢印１００５によって例示される）。
【０１１８】
しかしながら、既定ＣＣＰＦ１００３は、例えばＵＥのサブスクリプション（例えば、ＵＥ型、専用コアネットワークＩＤ（ＤＣＮ−ＩＤ）、クライアントＩＤ、カスタマＩＤ、テナントＩＤ）のために、ＵＥ１００１を引き受けなくてもよい。
【０１１９】
したがって、既定共通ＣＰ機能１００３は、専用共通ＣＰ機能（例えば専用ＭＭＥ）１００４にアタッチ要求を直接送る（第２の矢印１００６によって例示される）。既定共通ＣＰ機能１００３は、このシグナリングにＵＥの認証及びＮＡＳセキュリティコンテキストについての情報を含めてもよい。
【０１２０】
専用ＣＣＰＦ１００４は、アタッチ要求メッセージの転送に応答し（第３の矢印１００７によって例示される）、ここでは応答はＵＥ１００１のＧＵＴＩを含む。
【０１２１】
既定ＣＣＰＦ１００３は、次いでＵＥ１００１にＲＡＮ１００２を介してＧＵＴＩを含むアタッチ承認を送信する（第４の矢印１００８によって例示される）。
【０１２２】
ＵＥ１００１及び専用ＣＣＰＦ１００４は、次いでＮＡＳメッセージ、例えばサービス要求及びサービス応答を交換してもよい（第５の矢印１００９によって例示される）。サービス要求を送るとき、ＵＥ１００１はＲＡＮ１００２にＲＲＣレイヤメッセージでＧＵＴＩを送って、ＲＡＮが専用ＣＣＰＦ１００４にＮＡＳメッセージ（例えばサービス応答）をルート指定するようにする。
【０１２３】
ＲＡＮ１００２は、次いで第１のＲＡＮ−ＣＮ  Ｉ／Ｆ  ＣＰセッション１０１１を解放し（第６の矢印１０１０によって例示される）、そして第２のＲＡＮ−ＣＮ  Ｉ／Ｆ  ＣＰセッション１０１２を設定した。第２のＲＡＮ−ＣＮ  Ｉ／Ｆ  ＣＰセッション１０１２を設定する場合、それは、現存のＳ１ＡＰシグナリングメッセージを使用してＮＡＳサービス要求を伝達する（第５の矢印１００９によって例示される）か（任意選択で）明示的なＳ１ＡＰシグナリングを使用して（第７の矢印１０２０によって例示される）かでなされることができる。
【０１２４】
セッション１０１１、１０１２は、例えばＳ１ＡＰ（Ｓ１アプリケーションプロトコル）インタフェースを介して確立される。
【０１２５】
ＲＡＮ１００２から第１のセッション１０１１を介して既定ＣＣＰＦ１００３へのアタッチ要求の送信時には、ＲＡＮ１００２におけるＳ１ＡＰマッピングテーブルは第１のＲＡＮテーブル状態１０１３を有し、そして第１のＣＣＰＦ１００３におけるＳ１ＡＰマッピングテーブルは第１のＣＣＰＦ１テーブル状態１０１６を有する。
【０１２６】
ＵＥ認証及びＮＡＳセキュリティ設定を行った後には、ＲＡＮ１００２におけるＳ１ＡＰマッピングテーブルは第２のＲＡＮテーブル状態１０１４を有し、そして第１のＣＣＰＦ１００３におけるＳ１ＡＰマッピングテーブルは第２のＣＣＰＦ１テーブル状態１０１７を有する。
【０１２７】
既定ＣＣＰＦ１００３から専用ＣＣＰＦ１００４へのアタッチ要求の転送時には、第２のＣＣＰＦ１００４におけるＳ１ＡＰマッピングテーブルは第１のＣＣＰＦ２テーブル状態１０１８を有する。
【０１２８】
ＵＥによって専用ＣＣＰＦに送られるサービス要求の送信時には、ＲＡＮ１００２におけるＳ１ＡＰマッピングテーブルは第３のＲＡＮテーブル状態１０１５を有し、そして第２のＣＣＰＦ１００４におけるＳ１ＡＰマッピングテーブルは第２のＣＣＰＦ２テーブル状態１０１９を有する。代替的に、２つのエントリ（第１のセッション１０１１に対する１つ（第１行）及び第２のセッション１０１２の１つ（第２行））を含む第３のＲＡＮテーブル状態１０１５の代わりに、図７の例の第２のＲＡＮテーブル状態７１２の様に単一のエントリのみがあってもよいことが留意されるべきである。図７の例のこの第２のＲＡＮテーブル状態７１２が適用されれば、第２のＣＣＰＦ１００４におけるＳ１ＡＰマッピングテーブルは、図７の例の第２のＣＣＰＦ２テーブル状態７１５も有することになる。
【０１２９】
図１１は、図７の手法に基づく初期アタッチ手順をより詳細に例示するメッセージフロー図１１００を図示する。
【０１３０】
メッセージフローは、ＵＥ３０１に対応するＵＥ１１０１と、ＵＥ３０１に応対するｅＮＢに対応するｅＮＢ１１０２と、既定ＣＣＰＦ３０４に対応する既定ＭＭＥ１１０３と、専用ＣＣＰＦ３０８に対応する専用ＭＭＥ１１０４と、ＳＧＷ３０９又はＰＧＷ３１０に対応する専用ＳＧＷ又はパケットデータゲートウェイＰＧＷ１１０５との間で起こる。
【０１３１】
ステップ１１０７で、ＵＥ１１０１は、ｅＮＢ１１０２にアタッチ要求を送る。
【０１３２】
ステップ１１０８で、ｅＮＢ１１０２は、既定ＭＭＥ１１０３にアタッチ要求を転送する。
【０１３３】
ステップ１１０９で、既定ＭＭＥ１１０３は、専用ＭＭＥ１１０４にアタッチ要求を転送する。これは、基地局１１０２の識別（ｅＮＢ−ＩＤ）及び基地局１１０２と既定ＭＭＥ１１０３との間の通信セッションについての情報（例えば識別子ｅＮＢ−ＵＥ−Ｓ１ＡＰ＃１）を含んでもよい。
【０１３４】
ステップ１１１０で、専用ＭＭＥ１１０４は、基地局１１０２にＳ１ＡＰ設定修正要求（又はＳ１ＡＰ応答）を送る。これは、基地局１１０２と既定ＭＭＥ１１０３との間の通信セッションについての情報（ｅＮＢ−ＵＥ−Ｓ１ＡＰ＃１）及び通信セッションの新たなエンドポイントについての情報（例えば識別子ＭＭＥ２−ＵＥ−Ｓ１ＡＰ＃１）を含む。
【０１３５】
ステップ１１１１で、Ｓ１ＡＰ設定修正要求の受信に応答して、基地局は、Ｓ１ＡＰマッピングテーブルを更新する、即ちｅＮＢ−ＵＥ−Ｓ１ＡＰ＃１（セション識別子として見られることができる）のためのエンドポイントを既定ＭＭＥ１１０３から専用ＭＭＥ１１０４へ変更する。
【０１３６】
ステップ１１１２で、基地局１１０２は、（任意選択で）専用ＭＭＥ１１０４にＳ１ＡＰ設定修正応答を送る。
【０１３７】
ステップ１１１３で、専用ＭＭＥ１１０４は、ＵＥ１１０１（例えばコアネットワーク３０３、３０７及びＲＡＮ３０２を備える通信ネットワークのＨＳＳを伴う）と認証及びＮＡＳセキュリティ設定を行う。ＮＡＳセキュリティ設定は、専用ＭＭＥとＵＥとの間のセキュアな通信のために使用されることになるキー（認証キー以外）のネゴシエーションを含む。
【０１３８】
ステップ１１１３で行われる、専用ＭＭＥからＮＡＳ  ＵＥ認証要求を伝達するためにステップ１１１０が使用されることができることが留意されるものとする。
【０１３９】
ステップ１１１４で、専用ＭＭＥ１１０４は、既定ＭＭＥ１１０３にアタッチ転送応答を送る。これは、基地局１１０２の識別（ｅＮＢ−ＩＤ）及び基地局１１０２と既定ＭＭＥ１１０３との間の通信セッションについての情報（例えば識別子ｅＮＢ−ＵＥ−Ｓ１ＡＰ＃１）を含んでもよい。
【０１４０】
ステップ１１１５で、既定ＭＭＥ１１０３は、ＵＥ１１０１に対してＳ１ＡＰマッピングテーブルを削除する。
【０１４１】
ステップ１１１６で、専用ＭＭＥ１１０４は、ＳＧＷ／ＰＧＷ１１０５にセッション作成要求を送り、ステップ１１１７で応答される。
【０１４２】
ステップ１１１８で、専用ＭＭＥ１１０４は、ｅＮＢ１１０２にアタッチ承認メッセージ（ＧＵＴＩを含む）を送り、そしてアタッチ手順の更なる部分が次いで続いてもよいが、ここでは記載されない。
【０１４３】
要約すると、様々な実施形態によれば、移動無線通信ネットワークに移動端末の接続を確立するための方法が、図１２に例示されるように提供される。
【０１４４】
図１２は、フロー図１２００を図示する。
【０１４５】
ステップ１２０１で、移動無線通信ネットワークの無線アクセスネットワークが、移動端末から接続要求を受信する。
【０１４６】
ステップ１２０２で、無線アクセスネットワークは、無線アクセスネットワークを第１のエンドポイントとして有し且つ任意選択で移動無線通信ネットワークの第１の共通制御プレーン機能を第２のエンドポイントとして有する制御プレーン通信を確立する。
【０１４７】
ステップ１２０３で、無線アクセスネットワークは、制御プレーン通信を介して第１の共通制御プレーン機能にＵＥの接続要求を転送する。
【０１４８】
ステップ１２０４で、無線アクセスネットワークは、制御プレーン通信の第２のエンドポイントが第２の共通制御プレーン機能に設定されるべきであることを示すメッセージを受信する。このメッセージは、第１の共通制御プレーン機能によって（例えば制御プレーン通信を介して）、又は第２の共通制御プレーン機能によって若しくはＵＥによって送られることができる。
【０１４９】
ステップ１２０５で、無線アクセスネットワークは、制御プレーン通信の第２のエンドポイントを第２の共通制御プレーン機能に設定する。
【０１５０】
様々な実施形態によれば、言い換えると、移動無線通信ネットワーク（例えば５Ｇ通信ネットワーク又はＬＴＥ通信ネットワーク）の無線アクセスネットワークは、移動端末（即ちＵＥ）から送られる制御プレーンメッセージの宛先の変更を通知される（又は変更をするように要求される）。制御プレーン通信の第２のエンドポイントが第２の共通制御プレーン機能に設定されるべきであることを示すメッセージは、例えば、ＲＡＮとＣＮとの間の制御プレーンインタフェースを通じて交換される制御プレーンメッセージ（例えば、進化型パケットシステム（ＥＰＳ）でのＳ１ＡＰメッセージ）、又はＲＡＮとＵＥとの間の制御プレーンインタフェースを通じて交換される制御プレーンメッセージ（例えば、ＲＲＣ（無線リソース制御）レイヤメッセージ）である。
【０１５１】
例えば、初期アタッチ手順の間、専用共通ＣＰ機能（例えば専用ＭＭＥ）は、次いで既定共通ＣＰ機能（例えば既定ＭＭＥ）から転送されるアタッチ要求を受信した後にＲＡＮと直接通信してもよい。ＲＡＮは、例えばＵＥによって専用共通制御プレーン機能に送られる以降の（例えばＮＡＳ）メッセージを転送することができる。
【０１５２】
例えば、新たなエンドポイント（専用共通制御プレーン機能）で現存のＵＥのＲＡＮ−ＣＮ  ＣＰセッション（Ｓ１ＡＰ）を更新するために、シグナリングが導入されてもよい。
【０１５３】
ＲＡＮは、したがって新たなものを作成することなく現存のＲＡＮ／ＣＮ  ＣＰ  Ｉ／Ｆセッションを更新してもよく、そして専用共通ＣＰ機能は、それが既定共通ＣＰ機能から転送されるＵＥアタッチ要求を得るとＲＡＮと直接通信してもよい。
【０１５４】
制御プレーン通信は、例えば無線アクセスネットワーク−コアネットワークインタフェースを通じる、例えばＳ１ＡＰに基づく通信である。
【０１５５】
共通制御プレーン機能における用語「共通」は、制御プレーン機能が複数のコアネットワークインスタンス（又はスライス）を引き受ける、即ち複数のコアネットワークインスタンスに対して共通であるという事実を指すと理解されてもよい。言い換えると、共通制御プレーン機能における用語「共通」は、従来通りを暗示するためのものではない。更に、用語「共通制御プレーン機能」は、ＭＭＥを含むと理解されてもよい。加えて、共通制御プレーン機能における用語「共通」は、コアネットワークに存在する複数の数個のネットワーク機能（例えば、ＥＰＣで複数のＳＧＷに共有されるＭＭＥ）と考えられてもよい。
【０１５６】
移動端末は、第１の共通制御プレーン機能によって又は第２の共通制御プレーン機能によって認証されてもよい。第１の共通制御プレーン機能が認証を行う場合には、それは、例えばそれが移動無線通信ネットワークの第２の共通制御プレーン機能に接続要求を転送するときに、第２の共通制御プレーン機能に認証コンテキストを転送してもよい。
【０１５７】
図１１の方法は、例えば図１３に例示される無線アクセスネットワーク構成要素により実施される。
【０１５８】
図１３は、無線アクセスネットワーク構成要素１３００を図示する。
【０１５９】
無線アクセスネットワーク構成要素１３００は、移動端末から接続要求を受信するように構成される受信器１３０１と、無線アクセスネットワークを第１のエンドポイントとして有し且つ任意選択で移動無線通信ネットワークの第１の共通制御プレーン機能を第２のエンドポイントとして有する制御プレーン通信を確立するように構成されるコントローラ１３０２とを備える。
【０１６０】
無線アクセスネットワーク構成要素１３００は、制御プレーン通信を介して第１の共通制御プレーン機能に移動端末の接続要求を転送するように構成される送信器１３０３をさらに備える。
【０１６１】
受信器１３０１は、制御プレーン通信の第２のエンドポイントが第２の共通制御プレーン機能に設定されるべきであることを示すメッセージを受信するようにさらに構成される。
【０１６２】
コントローラ１３０２は、制御プレーン通信の第２のエンドポイントを第２の共通制御プレーン機能に設定するようにさらに構成される。
【０１６３】
様々な例が下記される。
【０１６４】
例１は、図１２に例示されるように提供される、移動無線通信ネットワークに移動端末の接続を確立するための方法である。
【０１６５】
例２は、第１の共通制御プレーン機能が、移動無線通信ネットワークの第２の共通制御プレーン機能に接続要求を転送するステップを含む、例１の方法である。
【０１６６】
例３は、第１の共通制御プレーン機能が、移動端末のサブスクリプションプロファイルを確認することによって移動無線通信ネットワークの第２の共通制御プレーン機能を決定し、そして第２の共通制御プレーン機能に接続要求を転送する、例１の方法である。
【０１６７】
例４は、第２の共通制御プレーン機能が、制御プレーン通信の第２のエンドポイントを第２の共通制御プレーン機能に設定した後に制御プレーン通信を介して移動端末を認証するステップをさらに含む、例１〜３のうちのいずれか１つの方法である。
【０１６８】
例５は、第２の共通制御プレーン機能が、制御プレーン通信の第２のエンドポイントを第２の共通制御プレーン機能に設定した後に制御プレーン通信を介して移動端末とのセキュアな制御プレーン通信を設定するステップをさらに含む、例１〜４のうちのいずれか１つの方法である。
【０１６９】
例６は、制御プレーン通信の第２のエンドポイントを第２の共通制御プレーン機能に設定した後に制御プレーン通信を介して移動端末に対して制御プレーン通信セッションを確立するステップをさらに含む、例１〜５のうちのいずれか１つの方法である。
【０１７０】
例７は、制御プレーン通信の第２のエンドポイントが第２の共通制御プレーン機能に設定されるべきであることを示すメッセージが、第２の共通制御プレーン機能によって送られた、例１〜６のうちのいずれか１つの方法である。
【０１７１】
例８は、制御プレーン通信の第２のエンドポイントが第２の共通制御プレーン機能に設定されるべきであることを示すメッセージが、移動端末によって送られた、例１〜６のうちのいずれか１つの方法である。
【０１７２】
例９は、制御プレーン通信の第２のエンドポイントが第２の共通制御プレーン機能に設定されるべきであることを示すメッセージが、第１の共通制御プレーン機能によって送られた、例１〜６のうちのいずれか１つの方法である。
【０１７３】
例１０は、制御プレーン通信の第２のエンドポイントが第２の共通制御プレーン機能に設定されるべきであることを示すメッセージが、第２の共通制御プレーン機能を制御プレーン通信の新たなエンドポイントとして識別している、例１〜９のうちのいずれか１つの方法である。
【０１７４】
例１１は、制御プレーン通信の第２のエンドポイントが第２の共通制御プレーン機能に設定されるべきであることを示すメッセージが、無線アクセスネットワークによって第１の共通制御プレーン機能に移動端末の接続要求を転送するために使用された通信セッションへの参照を備えている、例１〜１０のうちのいずれか１つの方法である。
【０１７５】
例１２は、無線アクセスネットワークが、制御プレーン通信を移動端末と関連付けている、例１〜１１のうちのいずれか１つの方法である。
【０１７６】
例１３は、無線アクセスネットワークが、制御プレーン通信を移動端末の制御プレーン通信のために割り当てている、例１〜１２のうちのいずれか１つの方法である。
【０１７７】
例１４は、制御プレーン通信の第２のエンドポイントを第２の共通制御プレーン機能に設定するステップが、無線アクセスネットワークの通信セッションの通信相手を第１の共通制御プレーン機能から第２の共通制御プレーン機能へ変更することを含んでいる、例１〜１３のうちのいずれか１つの方法である。
【０１７８】
例１５は、無線アクセスネットワークが、無線アクセスネットワークと第１の共通制御プレーン機能との間の通信セッションを介して第１の共通制御プレーン機能に接続要求を送り、且つ制御プレーン通信の第２のエンドポイントを第２の共通制御プレーン機能に設定するステップが、無線アクセスネットワークと第２の共通制御プレーン機能との間に通信セッションを確立することを含んでいる、例１〜１４のうちのいずれか１つの方法である。
【０１７９】
例１６は、無線アクセスネットワークが、制御プレーン通信の第２のエンドポイントを示すエントリを有するマッピングテーブルを記憶するメモリを有している、例１〜１５のうちのいずれか１つの方法である。
【０１８０】
例１７は、マッピングテーブルの各エントリが、通信セッションと関連付けられており、且つ無線アクセスネットワークの通信セッション相手を識別している、例１６の方法である。
【０１８１】
例１８は、制御プレーン通信の第２のエンドポイントを第２の共通制御プレーン機能に設定するステップが、エントリを第１の共通制御プレーン機能を示すことから第２の共通制御プレーン機能を示すことへ変更することを含んでいる、例１６又は１７の方法である。
【０１８２】
例１９は、制御プレーン通信の第２のエンドポイントを第２の共通制御プレーン機能に設定するステップが、第２の共通制御プレーン機能を示すマッピングテーブルへの第２のエントリを追加することを含んでいる、例１６又は１７の方法である。
【０１８３】
例２０は、図１３に例示される無線アクセスネットワーク構成要素である。
【０１８４】
更なる例によれば、例えば初期アタッチ手順の間、制御プレーン通信セッション（例えばＲＡＮ−ＣＮ  Ｉ／Ｆ  ＣＰセッション）を管理する移動通信ネットワークにおける基地局とネットワークＣＰ（制御プレーン）エンティティとの間の通信方法が提供される。上記ネットワークＣＰエンティティは、少なくとも２つのネットワークＣＰ機能を備える。例えば、１）第１のネットワークＣＰエンティティ、２）第２のネットワークＣＰエンティティ、である。第１のネットワークＣＰエンティティは、既定ネットワークＣＰエンティティ又はＲＡＮによって転送されるＵＥからのアタッチ要求を最初に受信するネットワークＣＰエンティティであり、そして第２のネットワークＣＰエンティティは、特定のＵＥ又は特定のサービスに応対するために割り当てられる専用ネットワークＣＰエンティティである。通信方法は、以下を含む。
・無線アクセスネットワーク（ＲＡＮ）が、ＵＥからＵＥアタッチ要求を受信して移動通信ネットワークにアタッチすること。
・ＲＡＮが、第１のネットワークＣＰ機能とＲＡＮ−ＣＮ  Ｉ／Ｆ（ＲＡＮ−コアネットワークインタフェース）を通じて第１のセッションを設定することによってＵＥアタッチ要求を転送すること。
・第１のネットワークＣＰ機能が、ＵＥのサブスクリプションプロファイルを考慮に入れることによって、どのコアネットワーク又はＮＷスライスがＵＥに適切かを決定すること。
・第１のネットワークＣＰ機能が、第２のネットワークＣＰ機能にＵＥアタッチ要求を転送すること（ＲＡＮを介して行くことなく）。転送されるメッセージは、ＲＡＮと第１のネットワークＣＰエンティティとの間の上記第１のセッションに関連した情報を含む。
・第２のネットワークＣＰ機能が、ＲＡＮを介してＵＥにアタッチ応答を送ること。第２のネットワークＣＰ機能とＲＡＮとの間の通信は、ＲＡＮへのＣＰシグナリングを使用することによってなされる。ＲＡＮへのＣＰシグナリングは、第２のネットワークＣＰ機能で第１のセッションのコンタクトポイントを更新することについての情報を含む。上記ＣＰシグナリングは、ＲＡＮと第１のネットワークＣＰエンティティとの間の上記第１のセッションを含む。
・・代替的に、第２のネットワークＣＰ機能は、第１のネットワークＣＰ機能に応答を送ってもよく、そして第１のネットワークＣＰ機能はＲＡＮを介してＵＥにアタッチ応答を送ってもよい。この場合には、第１のネットワークＣＰ機能とＲＡＮとの間の通信は、第１のセッションを通じてＲＡＮへのＣＰシグナリングを使用することによってなされる。第１のネットワークＣＰ機能によって送られるこのアタッチ応答とともに、ＲＡＮへのＣＰシグナリングは、コアネットワークでのＣＰ機能のコンタクトポイントの変更についての情報も搬送する。この情報は、第２のネットワークＣＰ機能の識別又は第２のネットワークＣＰ機能に帰属する第１のセッションの新たなエンドポイントであることができる。
・・別の代替例は、第１のネットワークＣＰ機能が、第２のネットワークＣＰ機能に帰属する第１のセッションの新たなエンドポイントについての新たな情報なしで、ＲＡＮを介してＵＥにアタッチ承認を送ってもよいということである。この場合には、ＵＥがＲＡＮを介してＣＮにいかなる以降のメッセージを送るときにも、これらの以降のメッセージは、ＲＡＮがこのＵＥに特定のコアネットワークでのＣＰ機能のコンタクトポイントの変更に気づくようにする情報を含む。この情報は、第２のネットワークＣＰ機能の識別であることができる。ＲＡＮは、コアネットワークでのネットワークＣＰ機能の新たなコンタクトポイントで（現存の）第１のセッションを更新／修正するか、コアネットワークでのネットワークＣＰ機能の新たなコンタクトポイントで新たなセッションを設定し、そして（現存の）第１のセッションを解放するかになる。
【０１８５】
方法のうちの１つの文脈で記載される実施形態及び例が無線アクセスネットワーク構成要素にとって類似して有効であり、逆もまた同じであることが留意されるべきである。
【０１８６】
無線アクセスネットワークの構成要素（例えば受信器、コントローラ及び送信器）は、例えば１つ又は複数の回路によって実装されてもよい。「回路」は、いかなる種類の論理実装エンティティとしても理解されてもよく、専用回路網若しくはメモリに記憶されるソフトウェアを実行するプロセッサ、ファームウェア、又はそのいかなる組合せでもよい。したがって「回路」は、ハードワイヤード論理回路、又はプログラマブルプロセッサ、例えばマイクロプロセッサなどのプログラマブル論理回路でもよい。「回路」はまた、ソフトウェア、例えばいずれかの種類のコンピュータプログラムを実行するプロセッサでもよい。より詳細に下記されることになるそれぞれの機能のいかなる他の種類の実装も、「回路」として理解されてもよい。
【０１８７】
具体的な態様が記載されたが、添付の請求項によって定められる本開示の態様の趣旨及び範囲から逸脱することなく、形態及び詳細の様々な変更がここでなされてもよいことが当業者によって理解されるべきである。範囲はしたがって添付の請求項によって示され、そして請求項の等価性の意味及び範囲内に収まる全ての変更がしたがって包含されるものと意図される。
【図１】
0006476319.tif 000002
【図２】
0006476319.tif 000003
【図３】
0006476319.tif 000004
【図４】
0006476319.tif 000005
【図５】
0006476319.tif 000006
【図６】
0006476319.tif 000007
【図７】
0006476319.tif 000008
【図８】
0006476319.tif 000009
【図９】
0006476319.tif 000010
【図１０】
0006476319.tif 000011
【図１１】
0006476319.tif 000012
【図１２】
0006476319.tif 000013
【図１３】
0006476319.tif 000014